(57)【特許請求の範囲】
【請求項１】
ヘッドバンドと、前記ヘッドバンドに支持されるとともに電気音響変換器が内蔵されたヘッドホンユニットとを有し、前記ヘッドホンユニットのバッフル面と使用者の耳との間に自由音場を形成するために、前記使用者の側頭部に当接可能な当接部材が設けられた開放型ヘッドホンにおいて、
前記当接部材が、前記耳の頭頂部側を囲み、かつ、前記耳に係合される略Ｃ字状として前記ヘッドホンユニットの前記バッフル面に形成され、前記当接部材が前記耳に係止された状態において、前記当接部材の一端が前記使用者のこめかみより前記頭頂部側に配置されるとともに、前記当接部材の他端が耳甲介腔と前記頭頂部とを結ぶ線に対して直交し、かつ、前記耳甲介腔を通過する線より前記頭頂部側に配置され、かつ、前記電気音響変換器の音響放出軸線が前記耳甲介腔と一致するように構成されていることを特徴とする開放型ヘッドホン。
【請求項２】
低域共振周波数を７０Ｈｚないし２００Ｈｚの範囲内に設定するための重量部が前記電気音響変換器の振動板に付加的に設けられ、前記重量部が前記振動板に接着剤を介して固定された金属粒を有していることを特徴とする請求項１に記載した開放型ヘッドホン。
【発明の詳細な説明】
【０００１】
【発明の属する技術分野】
本発明は開放型ヘッドホンに係り、さらに詳しく言えば、使用者が良好な装着感を得られる開放型ヘッドホンと、低音域を補正できる開放型ヘッドホンとに関するものである。
【０００２】
【従来の技術】
図９に開放型ヘッドホン９０を示す（実開昭５８ー１８９６９１号公報参照：従来例１）。この開放型ヘッドホン９０は、ヘッドバンド９１と、ヘッドバンド９１の両端に支持される一対のヘッドホンユニット９２，９２とを含んで構成されている。ヘッドホンユニット９２，９２は、それぞれ電気音響変換器（図示せず）を内蔵するとともにバッフル面９３，９３を有している。
【０００３】
そして、この開放型ヘッドホン９０は、各バッフル面９３，９３と使用者の耳（図示せず）との間に自由音場を形成するために、ヘッドバンド９１の両端部にそれぞれ使用者の側頭部に当接可能な当接部材９４，９４が設けられている。当接部材９４、９４は、あたかも眼鏡の蔓のように略へ字状に形成されていて、ヘッドホンユニット９２，９２のバッフル面９３，９３よりもヘッドバンド９１の軸線寄りに配置されている。
【０００４】
したがって、この開放型ヘッドホン９０は、使用にあたって、半径が小さくなるようにヘッドバンド９１が弾性変形することにより、当接部材９４，９４が使用者の側頭部に圧接するとともに耳の付け根に係合し、これにより各バッフル面９３，９３と使用者の耳との間に自由音場を形成できるようになっている。
【０００５】
【発明が解決しようとする課題】
ところで、前述した開放型ヘッドホン９０は、当接部材９４，９４が眼鏡の蔓を模した形状，形態であるため、使用者の耳の付け根からずり落ちる虞れが少ないが、その構造上、当接部材９４，９４が使用者の側頭部を圧迫するため、使用者によっては苦痛を感じて長時間の使用に耐えられないという問題がある。
【０００６】
また、一般に、開放型ヘッドホンにおいては、その構造上、自由音場からの音漏れが避けられず、低音の音圧が低下するという問題がある。この問題に対して、速度型の音響変換器を用いることにより低音域を補正する開放型ヘッドホンや（従来例２）、増幅器を用いることにより低域周波数を増加させる開放型ヘッドホン（従来例３）、振動変換器を用いることにより低音域を擬似的に補う開放型ヘッドホン（特開平７ー２８８８８７号公報参照：従来例４）等が提案されている。
【０００７】
しかしながら、従来例２は、圧力型の音響変換器に比較して効率が低い速度型の音響変換器を採用しているため低音域を効果的に補正できないとともに、その構造上、大型のマグネットが必要であるため重量が増加するという問題がある。  また、従来例３は、低域周波数の増加に伴って音質が変化するとともに、増幅器により重量が増加するという問題がある。さらに、従来例４は、不足する低音域が空気振動ではなく、本体の振動として擬似的に補正されるため、自然な音質が得られないという問題がある。
【０００８】
本発明は、これらのような従来の問題を解決するためになされたもので、使用者が良好な装着感を長時間得られる開放型ヘッドホンを提供することを第１の目的とし、また大幅な重量増を招くことなく低音域を自然に補正できる開放型ヘッドホンを提供することを第２の目的としている。
【０００９】
【課題を解決するための手段】
一般に、人体は、関節，筋肉の動きを阻害する部位が圧迫されると、他の部位を圧迫した場合に比べて不快感および疲労感が増大することが知られている。
そこで、第１の目的を達成するための発明は、こめかみおよび耳後方部分の筋肉を圧迫すると不快感および疲労感が増大することに本発明者等が着目してなされたものである。
【００１０】
すなわち、第１の目的を達成するために、請求項１に記載した発明は、ヘッドバンドと、前記ヘッドバンドに支持されるとともに電気音響変換器が内蔵されたヘッドホンユニットとを有し、前記ヘッドホンユニットのバッフル面と使用者の耳との間に自由音場を形成するために、前記使用者の側頭部に当接可能な当接部材が設けられた開放型ヘッドホンにおいて、前記当接部材が、前記耳の頭頂部側を囲み、かつ、前記耳に係合される略Ｃ字状として前記ヘッドホンユニットの前記バッフル面に形成され、前記当接部材が前記耳に係止された状態において、前記当接部材の一端が前記使用者のこめかみより前記頭頂部側に配置されるとともに、前記当接部材の他端が耳甲介腔と前記頭頂部とを結ぶ線に対して直交し、かつ、前記耳甲介腔を通過する線より前記頭頂部側に配置され、かつ、前記電気音響変換器の音響放出軸線が前記耳甲介腔と一致するように構成されていることを特徴としている。
【００１１】
この場合、当接部材としては、使用者の側頭部に対して連続的に当接する帯状に形成する構造や、あるいはボタン状のパッドを所定間隔でＣ字状に複数配列する構造等が採用できる。そして、当接部材を帯状に形成する場合には、一定の曲率で湾曲させておく必要はなく、耳の頭頂部側を囲えれば楕円弧状に湾曲していてもよい。さらに、使用者の頭部形状等に対応させるために、厚み方向に凹凸を形成しておいたり、適宜な切り欠き等を設けておいてもよい。
【００１２】
このような請求項１に記載した発明においては、当接部材が耳の頭頂部側を囲む略Ｃ字状に形成されているため、従来と同様に、当接部材が耳に対して係合することになるが、圧迫されると不快感および疲労感が増大するこめかみおよび耳後方の筋肉を避けて当接部材が側頭部に当接するため、従来に比較して良好な装着感が長時間にわたって得られることになり、これにより前記第１の目的が達成される。
【００１３】
また、前記当接部材が前記ヘッドホンユニットの前記バッフル面に設けられているため、例えば当接部材が適宜な接続部材を介してヘッドバンドに設けられた場合に比較して構成部品を少数化できるとともに、バッフル面を使用者の耳に対して適度に近接した所望の位置に配置できることになる。
【００１４】
一方、第２の目的を達成するために、請求項２に記載した発明は、前記請求項１において、低域共振周波数を７０Ｈｚないし２００Ｈｚの範囲内に設定するための重量部が前記電気音響変換器の振動板に付加的に設けられ、前記重量部が前記振動板に接着剤を介して固定された金属粒を有しているたことを特徴としている。
【００１５】
この請求項２に記載した発明においては、付加重量物により振動板の低域共振周波数が７０Ｈｚないし２００Ｈｚに設定されるため、不足する低音域が不自然感を生じることなく補正されることになる。また、低音域を補正するために付加重量物を振動板に設けるという極めて簡単な構造を採用しているため、従来のように、ヘッドホンユニットの重量が大幅に増加するという問題を解消できることになり、これらにより前記第２の目的が達成される。
【００１６】
そしてさらに、前記重量部（付加重量物）が前記振動板に接着剤を介して固定された金属粒を有しているため、金属粒の粒径，数や接着剤の量，材質等を適宜選択することにより、低音域を容易、かつ、自由に補正できることになる。
【００１７】
【発明の実施の形態】
以下、本発明の実施例を図面に基づいて説明する。
図１には、本発明に係る一実施例が示されている。図１（Ａ）に示すように、本実施例における開放型ヘッドホン１０は、ヘッドバンド１１と、ヘッドバンド１１の両端に支持される一対のヘッドホンユニット１２（一方のみ図示）とを含んで構成されている。
ヘッドホンユニット１２のハウジング内には電気音響変換器（図示せず）が内蔵されていて、また、このヘッドホンユニット１２は、そのバッフル面１３と使用者の頭部１４の耳１５との間に自由音場１６を形成するために、使用者の側頭部１４Ａに当接可能な当接部材２０を備えている。
【００１８】
当接部材２０は、例えば所定厚みを有するウレタンパッドを一定の曲率で湾曲させることにより略Ｃ字状に形成されていて、開放型ヘッドホン１０の使用にあたって耳１５の頭頂部１４Ｂ側を囲むように、バッフル面１３に沿って取り付けられている。
図１（Ｂ）に示すように、この当接部材２０は、その一端２０Ａが使用者のこめかみＡより頭頂部１４Ｂ側に配置するとともに、その他端２０Ｂが耳甲介腔１５Ａおよび頭頂部１４Ｂ間を結ぶ線Ｂに対して直交し、かつ、耳甲介腔１５Ａを通過する線Ｃより頭頂部１４Ｂ側に配置するように設けられている。
【００１９】
そして、この当接部材２０は、使用者が開放型ヘッドホン１０を頭部１４に対して適切に装着したときに、電気音響変換器の音響放出軸線Ｄが耳甲介腔１５Ａと一致するようにバッフル面１３に対して配置されている。
したがって、図２に示すように、本実施例の開放型ヘッドホン１０は、使用者が頭部１４に装着すると（図２（Ａ）参照）、当接部材２０がこのヘッドホン１０の自重により使用者の耳１５に接触する内周面２０Ｃに沿って案内され（図２（Ｂ）参照）、電気音響変換器の音響放出軸線Ｄが耳甲介腔１５Ａと一致するようになっている（図２（Ｃ）参照）。
【００２０】
本実施例の開放型ヘッドホン１０によれば、当接部材２０が耳１５の頭頂部１４Ａ側を囲む略Ｃ字状に形成されているため、当接部材２０が耳１５に係合してずり落ちる虞れがなく、従来の開放型ヘッドホンと同様に、使用者の耳１５とヘッドホンユニット１２のバッフル面１３との間に形成された自由音場１６を維持できる。
【００２１】
そして、本実施例の開放型ヘッドホン１０によれば、圧迫されると不快感および疲労感が増大するこめかみＣおよび耳１５後方の筋肉を避けて当接部材２０が側頭部１４Ａに当接するため、従来に比較して良好な装着感が長時間にわたって得られ、快適に使用できる。
【００２２】
また、この開放型ヘッドホン１０は、当接部材２０がヘッドホンユニット１２のバッフル面１３側に設けられているため、当接部材が適宜な接続部材を介してヘッドバンドに設けられた場合に比較して構成部品を少数化できるとともに、バッフル面１３を使用者の耳１５に対して適度に近接した所望の位置に配置できる。
【００２３】
さらに、この開放型ヘッドホン１０は、使用者が開放型ヘッドホン１０を頭部１４に対して適切に装着したときに、電気音響変換器の音響放出軸線Ｄが耳甲介腔１５Ａと一致するように当接部材２０がバッフル面１３に対して配置されているため、設計上の音響効果が確実に得られる。
【００２４】
ところで、一般に開放型ヘッドホンは、その構造上、自由音場からの音漏れが避けられないが、本実施例の開放型ヘッドホン１０においては、図３（Ａ）に示すように、電気音響変換器３０を構成する振動板３１の低域共振周波数を７０Ｈｚないし２００Ｈｚの範囲内とするために、振動板３１に付加重量物としての重量部３２が設けられていて、これにより低音域を補正するようになっている。
図３（Ａ）の実施例において、重量部３２は、振動板３１の表面におけるコイルボビン３３近傍に所定の粒径を有する鉛等の適宜な金属粒３４を多数配置し、次いでこれらの金属粒３４をゴム系あるいはシリコン系の接着剤３５により振動板３１に固定することにより設けられている。
【００２５】
なお、図３（Ｂ）に示すように、コイルボビン３３に通常よりも重い金属を採用することにより重量部３２Ｂを設けてもよい。
【００２６】
図４に図３（Ａ）の重量部３２を採用した開放型ヘッドホン１０の音圧−周波数特性を示し、図５に図３（Ｂ）の重量部３２Ｂを採用した開放型ヘッドホン１０の音圧−周波数特性を示し、比較例として図６に付加重量物を設けない従来の開放型ヘッドホンの音圧−周波数特性を示す。
これらの図によれば、本発明の開放型ヘッドホン１０は、自由音場１６からの音漏れにより低下する低音域が補正されることが判る。
特に、図３（Ａ）の重量部３２を採用した開放型ヘッドホン１０は、重量部３２Ｂを採用した場合に比較して、低音域が効果的に補正されることが判る。
【００２７】
このような本実施例の開放型ヘッドホン１０によれば、低音域を補正するために重量部３２を振動板３１に設けるという極めて簡単な構造を採用しているため、従来のように、大幅に重量が増加しないとともに、製造工程も簡略化できる。
また、重量部３２を採用した開放型ヘッドホン１０は、その接着剤３５の制振効果により共振のピーク値Ｑが低く押さえられ、音質が不自然に変化しないという効果がある。さらには、金属粒３４の材質，粒径，数や接着剤３５の量，材質等を適宜選択することにより、低音域を容易、かつ、自由に補正できるという効果がある。
【００２８】
なお、前述した本実施例では、低音域を補正するために重量部を振動板に設ける構造が採用されていたが、参考例として、図７に電池駆動の増幅器により音楽鑑賞用に低音域を補正した開放型ヘッドホンの音圧−周波数特性を示し、図８に電池駆動の増幅器により映画音声用に低音域を補正した開放型ヘッドホンの音圧−周波数特性を示す。
【００２９】
その他、前述した実施例で示したヘッドバンド，電気音響変換器，ヘッドホンユニット，バッフル面，自由音場，当接部材，開放型ヘッドホン，重量部，振動板，接着剤，金属粒等の材質，形状，寸法，形態，数，配置個所等は本発明を達成できるものであれば任意であり、限定されない。
【００３０】
【発明の効果】
以上説明したように、請求項１に記載した発明によれば、開放型ヘッドホンにおいて、良好な装着感が長時間にわたって得られる。また、構成部品を少数化できるとともに、バッフル面を使用者の耳に対して適度に近接した所望の位置に配置できる。
【００３１】
一方、請求項２に記載した発明によれば、開放型ヘッドホンにおいて、大幅に重量を増加させることなく、また、不自然感を生じることなく低音域を補正できるとともに、金属粒および接着剤の粒径，数量，材質等を適宜選択することにより、低音域を容易、かつ、自由に補正できる。
【図面の簡単な説明】
【図１】  本発明の実施例を示す模式図。
【図２】  当接部材の作用を示す模式図。
【図３】  重量部およびその変形例を示す模式図。
【図４】  本発明の実施例による開放型ヘッドホンの音圧−周波数特性を示すグラフ。
【図５】  本発明の別の実施例による開放型ヘッドホンの音圧−周波数特性を示すグラフ。
【図６】  比較例としての開放型ヘッドホンの音圧−周波数特性を示すグラフ。
【図７】  参考例として、電池駆動の増幅器を併用した開放型ヘッドホンの音圧−周波数特性を示すグラフ。
【図８】   参考例として、電池駆動の増幅器を併用した開放型ヘッドホンの音圧−周波数特性を示すグラフ。
【図９】  従来の開放型ヘッドホンを示す全体斜視図である。
【符号の説明】
１０  開放型ヘッドホン
１１  ヘッドバンド
１２  ヘッドホンユニット
１３  バッフル面
１４  頭部
１４Ａ  側頭部
１４Ｂ  頭頂部
１５  耳
１５Ａ  耳甲介腔
１６  自由音場
２０  当接部材
３０  電気音響変換器
３１  振動板
３２  重量部
３４  金属粒
３５  接着剤
【図１】
0003791978.tif 000002
【図２】
0003791978.tif 000003
【図３】
0003791978.tif 000004
【図４】
0003791978.tif 000005
【図５】
0003791978.tif 000006
【図６】
0003791978.tif 000007
【図７】
0003791978.tif 000008
【図８】
0003791978.tif 000009
【図９】
0003791978.tif 000010